(57)【要約】      （修正有）【課題】温風暖房器具等から放出される温風を利用するとともにテーブルとの組合わせにより、内部に専用の発熱装置を備えていなくても、通常のこたつ同様の温熱効果を有するこたつを構成できるこたつ用温風導入ダクトを提供する。【解決手段】温風暖房器具２の温風吹出口２１の前に配置される温風を導入する温風取入口１１を有し、こたつ内に温風を入れるための送風口１２を有し、筒状をなすダクトで、こたつ内へ温風を送風させることができるようにする。【選択図】図２
2005221082.tif 000002
【特許請求の範囲】
【請求項１】
温風暖房器具の温風吹出口の前に配置される温風を導入する温風取入口を有し、こたつ内に温風を入れるための送風口を有し、筒状であることを特徴とするこたつ用温風導入ダクト。
【請求項２】
ダクト全体が分割され、スライド式になっており、ダクトを使用しないときには、温風取入口部に全体が収納可能なことを特徴とする請求項１に記載のこたつ用温風導入ダクト。
【請求項３】
組立分解可能なパネル及びフレームからなることを特徴とする請求項１に記載のこたつ用温風導入ダクト。
【請求項４】
ダクトの長さが調節可能な長さ調節部を備えたことを特徴とする請求項１乃至３に記載のこたつ用温風導入ダクト。
【発明の詳細な説明】
【技術分野】
【０００１】
本発明は、温風をこたつに導くためのダクトに関するものである。特に、温風暖房器具の温風を利用することにより、こたつ用の発熱装置を用いることなく、こたつの暖房効果を得ることができるこたつ用温風導入ダクトに関するものである。
【背景技術】
【０００２】
従来の暖房器具のひとつとして、こたつが用いられている。このこたつは、テーブル状の骨組みの上に専用の掛け布団を掛け、その上にこたつ板を敷き、内部に温熱部を備えたものである。遠赤外線電気こたつの温熱部は、骨組みの上部中央の裏面に赤外線ヒータを備えたもので、電力を熱に変えるものである。
【０００３】
これに対し、部屋全体を温めるために、ストーブ、ガスファンヒーター、エアコン等が用いられてきた。しかし、これらの暖房器具からでる温風は、天井付近に滞留するので足元を暖めるのには適していないものが多い。そのため家庭では、暖房手段として、温風暖房器具と、こたつ又はホットカーペットを併用しているのが通常である。
【発明の開示】
【発明が解決しようとする課題】
【０００４】
しかし、前記のように、複数の暖房手段を併用するのは、エネルギーの無駄であり、暖房コストの上昇につながるといった問題点がある。又、稼動時に温風が出たり、視覚的に稼動状況が解り易い温風暖房器具に比べ、こたつ等の暖房器具は、稼動状況が解りにくくスイッチの切り忘れを誘発するという問題点がある。
【０００５】
従って、本発明の目的は、温風暖房器具等から出される温風を利用し、テーブルに前記温風を導くことにより、発熱装置を備えなくても、通常のこたつと同じ暖房効果を有するこたつを提供できる、こたつ用温風導入ダクトを提供するものである。
【課題を解決するための手段】
【０００６】
上記目的を達成するために、本発明のこたつ用温風導入ダクトは、温風暖房器具の温風吹出口の前に配置される温風を導入する温風取入口を有し、こたつ内に温風を入れるための送風口を有し、前記取入口から送風口に向かって小さくなる断面有し、筒状であることを特徴とする。前記温風暖房器具としては、ファンヒーター、エアコン等温風を送風する暖房器具であれば良い。温風導入ダクトの素材としては、特に限定するものではないが、耐熱性があり、熱伝導率の小さい材質が好ましい。
【０００７】
上記目的を達成するために、本発明の温風導入ダクトは、ダクト全体が分割可能なスライド式になっており、ダクトを使用しないときには、温風取入口部に全体が収納可能な構成となっている。
【０００８】
上記目的を達成するために、本発明の温風導入ダクトは、ダクト全体を組立分解可能なパネル及びフレームからなる構成となっている。
【０００９】
上記目的を達成するために、本発明の温風導入ダクトは、ダクト全体の長さを温風暖房器具とテーブルの間隔に応じて調整可能な長さ調節部を備えており、ダクトの長さを適宜変更できる。
【発明の効果】
【００１０】
本発明のこたつ用温風導入ダクトは、温風暖房器具から送風される温風を送風口よりこたつ内へ送風させることができ、こたつ専用の発熱装置を必要としないので、こたつ専用の発熱装置の分だけ設備費を安価に抑えることができるとともに、光熱費を安価に抑えることができる。
【００１１】
本発明のこたつ用温風導入ダクトは、ダクト全体が分割され、スライド式の構成及び、組立分解可能なパネル及びフレームからなる構成により、未使用時にはより小さな収容スペースに収納でき邪魔にならない。
【００１２】
本発明のこたつ用温風導入ダクトは、長さ調節可能な構成により、温風取入口と温風送風口の間の距離を所定の範囲内で変更でき、温度調節された空気の供給側である温風暖房器具から受取側であるこたつまでの距離を適宜変更できるので、こたつの設置位置の選択の範囲が広がる。
【発明を実施するための最良の形態】
【００１３】
以下、本発明の実施形態について図を用いて説明をする。
【００１４】
図１は本発明の温風導入ダクトの第１の実施形態を示す図であり、温風導入ダクト１は、温風取入口１１、温風送風口１２を有するダクトとなっている。
【００１５】
温風導入ダクト１は、耐熱性の材質からなり、温風取入口１１から取り入れられた温風は、ダクトを通じて温風送風口１２より温風を吹き出す。
【００１６】
図２は本発明の温風導入ダクトの使用状態を示す断面図である。この図を用いて、温風導入ダクト１の使用方法について説明する。
【００１７】
図２に示すように、本発明の実施形態のこたつ用温風導入ダクト１は、温風暖房器具２より送風される温風を利用し、テーブル３を専用の発熱装置を用いずに、こたつとして利用するものである。
【００１８】
温風暖房器具２は、温風が吹き出す温風吹出口３２を有している。テーブル３は、矩形の板材からなる台部３１と、板状で前記台部３１の周囲を取り囲んで固定された枠部３２と、台部３１の裏面の４隅近傍に配置された４本の脚３３を有している。
【００１９】
まず、テーブル３を床に設置し、温風暖房器具２を温風吹出口２１の設けられた面をテーブル３に向けて配置し、その間にこたつ用温風導入ダクト１を配置する。温風導入ダクト１は、温風取入口１１を温風暖房器具の温風吹出口２１側に、温風送風口１２をデーブル３側に向けて配置する。このとき、温風導入ダクト１の配置は、温風暖房器具２の温風吹出口２１の正面に配置する必要はない。多くの熱量を必要としない場合には、温風吹出口２１の近傍に温風導入ダクト１を配置してもよい。
【００２０】
そして、テーブル３の上に掛け布団３４を敷設し、前記布団３４により、こたつ用温風導入ダクト１の温風送風口１２及びテーブル３全体を覆い隠す。さらに、掛け布団３４の上からこたつ板３５を設置する。その結果、テーブル３、掛け布団３４及びこたつ板３５は、丁度こたつから赤外線ヒータ等の発熱装置を除去したものと同じ構成をなしている。
【００２１】
この状態で、温風暖房器具２の温風吹出口２１から温風を吹き出せば、温風の一部は、こたつ用温風導入ダクト１の内部に流入し、テーブル３内の掛け布団３４で覆われた部分へと導かれる。つまり、温風暖房器具２よりこたつ用温風導入ダクト１を通じてテーブル３の掛け布団３４に囲まれた内部に引き込まれた温風により、こたつ内部が加温される。そのため、テーブル３を通常のこたつと同様に下半身を温めることができるこたつとして利用することができる。しかも、こたつ専用の発熱装置が不要である。
【００２２】
このように、本実施形態のこたつ用温風導入ダクト１は、通常のテーブル３との組合わせにより、温風暖房器具２と別途で、専用の発熱装置を必要とすることなく、こたつを構成できるものである。
【００２３】
したがって、本実施形態のこたつ用温風導入ダクト１は、温風暖房器具２等から送風される温風を、温風導入ダクト１の温風送風口１２よりこたつ内へ送風させることができ、こたつ専用の発熱装置を必要としないので、こたつ専用の発熱装置の分だけ設備費を安価に抑えることができるとともに、光熱費を安価に抑えることができる。
【００２４】
ダクトを構成する材質としては、樹脂や木材を使用してもよいが、これらの材質に限定されるものではなく、その他の材質であってもよい。耐熱性があり熱伝導率の小さいものが好ましい。
【００２５】
前記説明では、上方から見て直線状のこたつ用温風導入ダクト１について説明したが、左右方向に折れ曲げてもよい。これは、ダクト中間部に折れ曲がった部分を設けることによって簡単に実現できる。例えば、温風暖房器具２の据付位置が部屋によっては限定されている場合があるが、かかる場合にも左右方向に折れ曲げたこたつ用温風導入ダクト１を使用すれば、こたつの内部に温風暖房器具２の温風を引込むことができる。
【００２６】
次に、本発明の第２の実施形態について説明する。図３は本発明の第２の実施形態であるこたつ用温風導入ダクトを示す斜視図、図４は本発明の第２の実施形態であるこたつ用温風導入ダクトをスライドし、収納した状態を示す斜視図である。
【００２７】
図３および図４に示すように、本実施形態のこたつ用温風導入ダクト４は、温風取入部４１と、ダクト中間部４２と、温風送風口部４３とで全体が構成されている。
【００２８】
温風取入部４１と、ダクト中間部４２と、温風送風口部４３はそれぞれスライド可能に接続されており、未使用時は、温風取入部４１に、ダクト中間部４２と温風送風口部４３が収納されており、使用するときには、温風取入部４１からスライドさせて、ダクト中間部４２と温風送風口部４３を手前に引き出し、こたつ用温風導入ダクト４として使用する。
【００２９】
このように、本実施形態のこたつ用温風導入ダクト４も、上記第１の実施形態のこたつ用温風導入ダクト１と同様に、通常のテーブルとの組合わせにより、温風暖房器具と別途で専用の発熱装置を必要とすることなくこたつを構成できるものである。つまり、こたつ用温風導入ダクト４を温風暖房器具の温風吹出口に向け、温風送風口部４３を掛け布団を掛けたテーブルの掛け布団に囲まれた内部に挿入し、温風暖房器具を運転させればテーブルはこたつとして機能する。
【００３０】
したがって、本実施形態のこたつ用温風導入ダクト４は、上記第１の実施形態のこたつ用温風導入ダクト１と同様に、温風暖房器具等から送風される温風を温風排出部４３よりこたつ内へ送風させることができ、こたつ専用の発熱装置を必要としないので、こたつ専用の発熱装置の分だけ設備費を安価に抑えることができるとともに、光熱費を安価に抑えることができる。
【００３１】
ダクトを構成する材質としては、樹脂や木材を使用してもよいが、これらの材質に限定されるものではなく、その他の材質であってもよい。耐熱性があり熱伝導率の小さいものが好ましい。
【００３２】
続いて、本発明の第３の実施形態について説明する。図５は本発明の第３の実施形態であるこたつ用温風導入ダクトを示す斜視図、図６は本発明の第３の実施形態であるこたつ用温風導入ダクトを組立分解可能なパネルとフレームに分解した状態を示す斜視図である。
【００３３】
図５及び図６に示すように、本実施形態のこたつ用温風導入ダクト５は、主要部であるダクトを構成するパネル部５１と、該パネル部５１を支持するフレーム部５２とで構成されている。樹脂又は木材からなるパネル部５１を、ステンレス等からなる溝を有するフレーム部５２の溝に差込むことにより組立分解可能な構成とする。
【００３４】
図７は本実施形態のこたつ用温風導入ダクト５のパネル部５１とフレーム部５２の接続部の詳細な断面図である。図７に示すとおり、フレーム部５２は溝を有する構造となっており、前記溝に、パネル部５１を差込み、こたつ用温風導入ダクト５を組み立てる。
【００３５】
パネル部５１同士の接続部分は、溝や突起による接続としてもよい。又、補強のためのブレス部材（図示せず）を有してもよい。パネル部５１とフレーム部５２の接続は、溝に差込む形以外の構造（ネジを用いる構造等）も可能である。
【００３６】
また、未使用時には、図６のようにパネル部５１とフレーム部５２に分解すれば、全体をコンパクトに収納できる。
【００３７】
このように、本実施形態のこたつ用温風導入ダクト５も、上記各実施形態のこたつ用温風導入ダクト１，４と同様に、通常のテーブルとの組合わせにより、温風暖房器具と別途で専用の発熱装置を必要とするとなくこたつを構成できるものである。つまり、温風取入口を温風暖房器具の温風吹出口に向け、温風送風口を掛け布団が掛けられ周囲を閉蓋されたテーブルの内部に挿入し、温風暖房器具を運転させればテーブルはこたつとして機能するものである。
【００３８】
したがって、本実施形態のこたつ用温風導入ダクト５は、上記各実施形態のこたつ用温風導入ダクト１，４と同様に、温風暖房器具等から送風される温風を温風取入口を通じてこたつ内へ送風させることができ、こたつ専用の発熱装置を必要としないので、こたつ専用の温熱部等の分だけ設備費を安価に抑えることができるとともに光熱費を安価に抑えることができる。
【００３９】
続いて、本発明の第４の実施形態について説明する。図８は本発明の第４の実施形態であるこたつ用温風導入ダクト６を示す斜視図、図９は本発明の第４の実施形態であるこたつ用温風導入ダクト本体部６１及び延長部６２に分解した状態を示す斜視図である。
【００４０】
図８及び図９に示すように、本実施形態のこたつ用温風導入ダクト６は、実施形態１のこたつ用温風導入ダクトと同様の本体部６１と取り外し可能な延長部６２とで構成されている。
【００４１】
本体部６１に取り外し可能な延長部６２を接続することにより、温風取入口と温風送風口の距離を所定の範囲内で変更でき、温風の供給側である温風暖房器具２から受取側であるこたつまでの距離を適宜変更できるので、こたつの設置位置の選択の範囲が広がる。
【００４２】
前記延長部６２は、図で示されているのは１個の延長部のみを接続しているが、複数の延長部を取り外し可能に接続してもよい。
【００４３】
これに加えて、実施形態２のこたつ用温風導入ダクト４の中間部の部材の数を増やすことにより、ダクトの長さを調整可能にしてもよい。必要なダクトの長さに応じて、スライドの量を調整することにより全体の長さが調整可能となる。
【００４４】
又、実施形態３のこたつ用温風導入ダクトにおいて、パネル部５１とフレーム部５２の数を増やすことにより、ダクトの長さを調整可能にしてもよい。必要なダクトの長さに応じて、使用するパネル部５１とフレーム部５２の数を調整することにより全体の長さが調整可能となる。
【００４５】
上記説明で、長さ調節方法について説明してきたが、全長を変化させる手段であれば、その他の方法又は上記方法の組み合わせでもよい。
【図面の簡単な説明】
【００４６】
【図１】本発明の第１の実施形態であるこたつ用温風導入ダクトを示す斜視図である。
【図２】本発明の第１の実施形態であるこたつ用温風導入ダクトの使用状態を示す断面図である。
【図３】本発明の第２の実施形態であるこたつ用温風導入ダクトを示す斜視図である。
【図４】本発明の第２の実施形態であるこたつ用温風導入ダクトをスライドさせ収納した状態を示す斜視図である。
【図５】本発明の第３の実施形態であるこたつ用温風導入ダクトを示す斜視図である。
【図６】本発明の第３の実施形態であるこたつ用温風導入ダクトを組立分解可能なパネルとフレームに分解した状態を示す斜視図である。
【図７】本発明の第３の実施形態であるこたつ用温風導入ダクトにおける、パネル部とフレーム部の接続部の詳細な断面図である。
【図８】本発明の第４の実施形態の１例であるこたつ用温風導入ダクトを示す斜視図である。
【図９】本発明の第４の実施形態の１例であるこたつ用温風導入ダクトをダクト本体部と、延長部に分解した状態を示す斜視図である。
【符号の説明】
【００４７】
１、４、５、６    こたつ用温風導入ダクト
１１              温風取入口
１２              温風送風口
２                温風暖房器具
２１              温風吹出口
３                テーブル
３１              台部
３２              枠部
３３              脚
３４              掛け布団
３５              こたつ板
４１              温風取入口部
４２              ダクト中間部
４３              温風送風口部
５１              パネル部
５２              フレーム部
６１              本体部
６２              延長部
【図１】
2005221082.tif 000003
【図２】
2005221082.tif 000004
【図３】
2005221082.tif 000005
【図４】
2005221082.tif 000006
【図５】
2005221082.tif 000007
【図６】
2005221082.tif 000008
【図７】
2005221082.tif 000009
【図８】
2005221082.tif 000010
【図９】
2005221082.tif 000011